(57)【要約】【課題】通信経路で接続されていないセル間での同期を確立して制御チャネルへの干渉を低減する。【解決手段】基地局装置は、他セルの信号の送信に使用可能なリソースのうち、信号の送信に実際に使用されるリソースを指定するリソース指定情報を取得する取得部と、リソース指定情報で指定されるリソースの時間方向の位置に基づいて、他セルのデータチャネルの先頭の送信タイミングを推定する推定部と、推定された送信タイミングに基づいて、他セルのデータチャネルに自セルの制御チャネルが時間的に重ならないように、自セルのデータチャネルの先頭の送信タイミングを調整する調整部とを有する。【選択図】図７
2018207389.tif 000002
【特許請求の範囲】
【請求項１】
他セルの信号の送信に使用可能なリソースのうち、前記信号の送信に実際に使用されるリソースを指定するリソース指定情報を取得する取得部と、
前記リソース指定情報で指定される前記リソースの時間方向の位置に基づいて、前記他セルのデータチャネルの先頭の送信タイミングを推定する推定部と、
推定された前記送信タイミングに基づいて、前記他セルのデータチャネルに自セルの制御チャネルが時間的に重ならないように、前記自セルのデータチャネルの先頭の送信タイミングを調整する調整部と
を有することを特徴とする基地局装置。
【請求項２】
前記推定部は、前記リソースの時間方向の位置から所定数の時間単位だけ前の位置に応じたタイミングを前記他セルのデータチャネルの先頭の送信タイミングとして推定することを特徴とする請求項１に記載の基地局装置。
【請求項３】
前記時間単位の数は、前記リソースの時間方向の位置に応じて異なることを特徴とする請求項２に記載の基地局装置。
【請求項４】
前記他セルのデータチャネルから前記自セルの制御チャネルへの干渉が発生したか否かを検出する検出部をさらに有し、
前記推定部は、前記自セルの制御チャネルへの干渉が発生したことが検出された場合に、前記他セルのデータチャネルの先頭の送信タイミングを推定することを特徴とする請求項１〜３のいずれか一つに記載の基地局装置。
【請求項５】
前記信号の送信に使用可能なリソースは、所定のサブフレームにおいてデータチャネルのマッピング対象となるデータチャネル領域の一部に配置されることを特徴とする請求項１〜４のいずれか一つに記載の基地局装置。
【請求項６】
前記信号は、ＣＳＩ−ＲＳ（Channel  State  Information-Reference  Signal）であり、
前記リソース指定情報は、上位装置から通知されるＺｅｒｏ  Ｐｏｗｅｒ  ＣＳＩ−ＲＳ情報であることを特徴とする請求項１〜５のいずれか一つに記載の基地局装置。
【請求項７】
基地局装置が、
他セルの信号の送信に使用可能なリソースのうち、前記信号の送信に実際に使用されるリソースを指定するリソース指定情報を取得し、
前記リソース指定情報で指定される前記リソースの時間方向の位置に基づいて、前記他セルのデータチャネルの先頭の送信タイミングを推定し、
推定された前記送信タイミングに基づいて、前記他セルのデータチャネルに自セルの制御チャネルが時間的に重ならないように、前記自セルのデータチャネルの先頭の送信タイミングを調整する
ことを特徴とする送信タイミング調整方法。
【発明の詳細な説明】
【技術分野】
【０００１】
本発明は、基地局装置及び送信タイミング調整方法に関する。
【背景技術】
【０００２】
従来、無線通信規格の一つであるＬＴＥ（Long  Term  Evolution）やＬＴＥ-Advancedにおいては、システム容量やカバレッジの拡大を目的として、ヘテロジーニアスネットワークの検討が行われている。ヘテロジーニアスネットワークとは、マクロセルと低送信電力の基地局が構成するセル（以下、「フェムトセル」と記す。）とが共存配置されたネットワークである。このようなネットワークにおいて、マクロセルとフェムトセルとが同一周波数で運用される場合、例えば、マクロセルからフェムトセルへの干渉や、フェムトセルからマクロセルへの干渉が問題となる。以下では、一例として、マクロセルからフェムトセルへの干渉について説明する。すなわち、フェムトセルの基地局（以下、「フェムト基地局」と記す。）に接続している移動局では、フェムト基地局からの信号が、マクロセルの基地局（以下、「マクロ基地局」と記す。）からの信号により干渉を受ける。
【０００３】
上述のセル間干渉は、各物理チャネル（制御チャネル、データチャネル）における通信品質に影響を与える。特に、サブフレームの送信タイミングがセル間で同期していないシステムでは、セル間干渉は、制御チャネルとデータチャネルとの間で発生し得る。そこで、従来、マクロ基地局のデータチャネルとフェムト基地局の制御チャネルとが時間的に重ならないようにタイミング制御を行うことにより、データチャネルから制御チャネルへのセル間干渉を低減させる技術が知られている。具体的には、マクロ基地局が、マクロ基地局のデータチャネルの先頭の送信タイミングを同期信号によりフェムト基地局へ通知する。そして、同期信号を受信したフェムト基地局が、マクロ基地局のデータチャネルの先頭の送信タイミングに対し、フェムト基地局のデータチャネルの先頭の送信タイミングを同期させる。このような動作を行うことにより、マクロセルのデータチャネルとフェムトセルの制御チャネルとが時間的に重ならないようになるので、マクロセルのデータチャネルからフェムトセルの制御チャネルへの干渉を低減させることができる。なお、かかる技術では、同期信号の通知は、例えば、マクロ基地局とフェムト基地局とを接続するＸ２インタフェース等の有線の通信経路を用いて実行される。
【先行技術文献】
【特許文献】
【０００４】
【特許文献１】国際公開第２０１４／１１２０５８号
【非特許文献】
【０００５】
【非特許文献１】3GPP  TS36.211  v10
【非特許文献２】3GPP  TS36.213  v10
【発明の概要】
【発明が解決しようとする課題】
【０００６】
しかしながら、上述した技術では、フェムト基地局とマクロ基地局とが通信経路で接続されていない場合、フェムト基地局に対して同期信号の通知が行われない。フェムト基地局に対して同期信号の通知が行われないと、マクロセルとフェムトセルとの間でのデータチャネルの同期が確立されない。結果として、マクロセルのデータチャネルからフェムトセルの制御チャネルへの干渉が低減されない可能性がある。
【０００７】
開示の技術は、通信経路で接続されていないセル間での同期を確立して制御チャネルへの干渉を低減することができる基地局装置及び送信タイミング調整方法を提供することを目的とする。
【課題を解決するための手段】
【０００８】
本願の開示する基地局装置は、一つの態様において、他セルの信号の送信に使用可能なリソースのうち、前記信号の送信に実際に使用されるリソースを指定するリソース指定情報を取得する取得部と、前記リソース指定情報で指定される前記リソースの時間方向の位置に基づいて、前記他セルのデータチャネルの先頭の送信タイミングを推定する推定部と、推定された前記送信タイミングに基づいて、前記他セルのデータチャネルに自セルの制御チャネルが時間的に重ならないように、前記自セルのデータチャネルの先頭の送信タイミングを調整する調整部とを有する。
【発明の効果】
【０００９】
本願の開示する基地局装置の一つの態様によれば、通信経路で接続されていないセル間での同期を確立して制御チャネルへの干渉を低減することができるという効果を奏する。
【図面の簡単な説明】
【００１０】
【図１】図１は、本実施例に係る無線通信システムの構成例を示す図である。
【図２】図２は、各物理チャネルのマッピング方法を説明するための図である。
【図３】図３は、マクロ基地局及びフェムト基地局の送信信号における時間・周波数リソースが割り当てられる様子を示す図である。
【図４】図４は、データチャネル（ＰＤＳＣＨ）から制御チャネル（ＰＤＣＣＨ）へのセル間干渉を低減させるための原理を示す図である。
【図５】図５は、本実施例に係る送信タイミング調整方法（セル間同期方法）の一例を示す図である。
【図６】図６は、Ｚｅｒｏ  Ｐｏｗｅｒ  ＣＳＩ−ＲＳ情報の詳細を説明するための図である。
【図７】図７は、本実施例に係るフェムト基地局の構成例を示す図である。
【図８】図８は、本実施例に係るフェムト基地局の動作の一例を示すフローチャートである。
【図９】図９は、フェムト基地局のハードウェア構成例を示す図である。
【発明を実施するための形態】
【００１１】
以下に、本願の開示する基地局装置及び送信タイミング調整方法の実施例を図面に基づいて詳細に説明する。なお、この実施例により開示技術が限定されるものではない。また、実施例において同等の機能を有する構成には同一の符号を付し、重複する説明は省略される。
【００１２】
［実施例］
図１は、本実施例に係る無線通信システムの構成例を示す図である。図１に示す無線通信システムは、マクロセルと低送信電力の基地局が構成するセル（つまり、フェムトセル）とが共存配置されたヘテロジーニアスネットワークを構築している。また、この無線通信システムは、ダウンリンク（下りリンク）の伝送にＯＦＤＭＡ（Orthogonal  Frequency  Division  Multiple  Access）を使用する。図１に示す無線通信システムは、一例として、マクロ基地局１と２つのフェムト基地局２とを有し、マクロセル内に２つのフェムトセルを配置している。マクロ基地局１と２つのフェムト基地局２とは、Ｘ２インタフェース等の有線の通信経路で接続されていない。また、移動局３は、ピコセル境界の携帯端末である。図１に示すように、マクロセルとピコセルとが混在して運用されている場合、例えば、マクロセルからフェムトセルへの干渉や、フェムトセルからマクロセルへの干渉が問題となる。すなわち、図１の左側に示すように、フェムト基地局２に接続している移動局３では、フェムト基地局２からの下りリンク信号がマクロ基地局１からの下りリンク信号により干渉を受ける。一方で、図１の右側に示すように、マクロ基地局１に接続している移動局３では、マクロ基地局１からの下りリンク信号がフェムト基地局２からの下りリンク信号により干渉を受ける。以下では、一例として、図１の左側に示された、マクロセルからフェムトセルへの干渉について説明する。なお、図１では、マクロセル内に２つのフェムトセルを配置する例が示されているが、マクロセル内のフェムトセルの数は、２に限定されない。
【００１３】
上記のようなセル間干渉がマクロ基地局１及びフェムト基地局２の送信信号に与える影響を説明する前に、送信信号の各物理チャネルの構成と、時間・周波数リソースへのマッピング方法について、図２を参照して説明する。図２は、各物理チャネルのマッピング方法を説明するための図である。図２に示すように、時間方向では、１ｍｓ長のサブフレームが１４個のＯＦＤＭ（Orthogonal  Frequency  Division  Multiplexing）シンボルであるシンボルＳ＃０〜Ｓ＃１３で形成される。サブフレーム中の前方のシンボルＳ＃０〜Ｓ＃２には、ユーザデータに関するスケジューリング情報等の伝送に用いられる制御チャネル（ＰＤＣＣＨ（Physical  Downlink  Control  CHannel)）がマッピングされる。以下では、ＰＤＣＣＨがマッピングされるシンボルＳ＃０〜Ｓ＃２を適宜「ＰＤＣＣＨ領域」と呼ぶ。
【００１４】
サブフレーム中の残りのシンボルＳ＃３〜Ｓ＃１３には、ユーザデータの伝送に用いられるデータチャネル（ＰＤＳＣＨ（Physical  Downlink  Shared  CHannel））がマッピングされる。以下では、ＰＤＳＣＨがマッピングされるシンボルＳ＃３〜Ｓ＃１３を適宜「ＰＤＳＣＨ領域」と呼ぶ。
【００１５】
一方、図２に示すように、周波数方向では、周波数リソースの割り当て単位としてＲＢ（Resource  Block）が１２サブキャリアで構成されており、各ユーザ（移動局）向けのデータチャネルがＲＢ単位で周波数多重されている。また、各種の参照信号が、時間方向及び周波数方向に疎らにマッピングされる。参照信号は、例えば、ＣＲＳ（Common  Reference  Signal）、ＤＭＲＳ（DeModulation    Reference  Signal）及びＣＳＩ−ＲＳ（Channel  State  Information-Reference  Signal）である。ＣＲＳは、チャネル推定用の参照信号である。ＤＭＲＳは、データの復調用の参照信号である。ＣＳＩ−ＲＳは、チャネル状態情報（ＣＱＩ（Channel  Quality  Indicator）／ＰＭＩ（Processing  Matrix  Indicator）／ＲＩ（Rank  Indicator））の測定用の参照信号である。なお、図２において、時間・周波数リソースの最小単位として、１ＯＦＤＭシンボル、１サブキャリアで囲まれる領域であるＲＥ（Resource  Element）が定義されている。
【００１６】
ここで、上述の参照信号のうち、特にＣＳＩ−ＲＳのマッピング方法について、詳述する。ＣＳＩ−ＲＳの送信に使用可能なリソース（以下適宜「ＣＳＩ−ＲＳ用リソース」と呼ぶ）は、図２に示すように、１ｍｓ長のサブフレームにおいてＰＤＳＣＨ領域の一部に配置される。具体的には、ＣＳＩ−ＲＳ用リソースは、シンボルＳ＃５，Ｓ＃６の組に応じた位置、シンボルＳ＃９，Ｓ＃１０の組に応じた位置、及びシンボルＳ＃１２，Ｓ＃１３の組に応じた位置に４つのＲＥ単位で配置される。なお、追加的な配置パターンが採用される場合、ＣＳＩ−ＲＳ用リソースは、シンボルＳ＃８，Ｓ＃１０の組に応じた位置に４つのＲＥ単位で配置されてもよい。ＰＤＳＣＨ領域の一部に配置されたＣＳＩ−ＲＳ用リソースのうち、ＣＳＩ−ＲＳの送信に実際に使用されるＣＳＩ−ＲＳ用リソースは、マクロ基地局１及びフェムト基地局２の上位装置によって、決定される。
【００１７】
次に、セル間干渉がマクロ基地局１及びフェムト基地局２の送信信号に与える影響について説明する。図３は、マクロ基地局１及びフェムト基地局２の送信信号における時間・周波数リソースが割り当てられる様子を示す図である。サブフレームの送信タイミングがセル間で同期していないシステムでは、セル間干渉は、制御チャネルとデータチャネルとの間で発生し得る。特に、図３において、制御チャネルについては、システム帯域幅全体に分散配置されるため、マクロセルのデータチャネル（ＰＤＳＣＨ）からフェムトセルの制御チャネル（ＰＤＣＣＨ）への干渉が発生し易い。
【００１８】
データチャネル（ＰＤＳＣＨ）から制御チャネル（ＰＤＣＣＨ）へのセル間干渉を低減させる方法としては、図４に示す方法がある。図４に示す方法は、本実施例の無線通信システムにおける送信タイミング調整方法（セル間同期方法）の前提技術となるセル間同期方法に相当する。図４は、データチャネル（ＰＤＳＣＨ）から制御チャネル（ＰＤＣＣＨ）へのセル間干渉を低減させるための原理を示す図である。図４に示す方法において、まず、マクロ基地局は、マクロ基地局のＰＤＳＣＨの先頭の送信タイミングを同期信号によりフェムト基地局へ通知する。同期信号の通知は、例えば、マクロ基地局とフェムト基地局とを接続するＸ２インタフェース等の有線の「通信経路」を用いて実行される。
【００１９】
そして、同期信号を受信したフェムト基地局は、マクロ基地局のＰＤＳＣＨの先頭の送信タイミングに対し、フェムト基地局のＰＤＳＣＨの先頭の送信タイミングを同期させる。すなわち、フェムト基地局は、マクロセルのＰＤＳＣＨの先頭の送信タイミングと自セルのＰＤＳＣＨの先頭の送信タイミングとの差を算出し、算出した差をフェムトセルにおける時間シフト量としてフェムト基地局の送信信号の送信タイミングをシフトさせる。このような動作を行うことにより、マクロセルのＰＤＳＣＨの先頭の送信タイミングとフェムトセルのＰＤＳＣＨの送信タイミングとの間の同期が確立され、マクロセルのＰＤＳＣＨとフェムトセルのＰＤＣＣＨとが時間的に重ならないようになる。結果として、マクロセルのＰＤＳＣＨからフェムトセルのＰＤＣＣＨへの干渉を低減させることができる。
【００２０】
しかしながら、上述の前提技術では、フェムト基地局とマクロ基地局とが上記の「通信経路」で接続されていない場合、フェムト基地局に対して同期信号の通知が行われない。フェムト基地局に対して同期信号の通知が行われないと、マクロセルとフェムトセルとの間でのＰＤＳＣＨの同期が確立されない。結果として、マクロセルのＰＤＳＣＨからフェムトセルのＰＤＣＣＨへの干渉が低減されない可能性がある。そこで、本実施例では、「通信経路」で接続されていないマクロセル及びフェムトセルの間での同期を確立して制御チャネルへの干渉を低減することができるように、送信タイミング調整方法（セル間同期方法）を工夫した。
【００２１】
続いて、本実施例に係る送信タイミング調整方法（セル間同期方法）について説明する。図５は、本実施例に係る送信タイミング調整方法（セル間同期方法）の一例を示す図である。
【００２２】
本実施例では、フェムト基地局２は、まず、マクロセルのＣＳＩ−ＲＳ用リソースのうち、ＣＳＩ−ＲＳの送信に実際に使用されるＣＳＩ−ＲＳ用リソースを指定するリソース指定情報を取得する（Ｓ１１）。リソース指定情報は、マクロ基地局１及びフェムト基地局２の上位装置から通知されるＺｅｒｏ  Ｐｏｗｅｒ  ＣＳＩ−ＲＳ情報である。
【００２３】
ここで、図６を参照して、Ｚｅｒｏ  Ｐｏｗｅｒ  ＣＳＩ−ＲＳ情報の詳細を説明する。図６は、Ｚｅｒｏ  Ｐｏｗｅｒ  ＣＳＩ−ＲＳ情報の詳細を説明するための図である。上位装置は、マクロセルのＣＳＩ−ＲＳが送信される際に、ＣＳＩ−ＲＳとフェムトセルのＰＤＳＣＨとの衝突を回避するために、ＣＳＩ−ＲＳの送信に実際に使用されるＣＳＩ−ＲＳ用リソースにおけるＰＤＳＣＨの送信の停止をフェムト基地局２に指示する。このとき、上位装置は、図６の上部に示されるＺｅｒｏ  Ｐｏｗｅｒ  ＣＳＩ−ＲＳ情報をフェムト基地局２へ通知することによって、ＣＳＩ−ＲＳの送信に実際に使用されるＣＳＩ−ＲＳ用リソースを指定する。Ｚｅｒｏ  Ｐｏｗｅｒ  ＣＳＩ−ＲＳ情報は、１６ビットのビット列で構成されており、各ビットは、図６の下部に示したＣＳＩ−ＲＳ用リソースのインデックス番号（位置番号）＃０〜＃１５の各々に１対１で対応している。
【００２４】
例えば、マクロセルのＣＳＩ−ＲＳの送信に実際に使用されるＣＳＩ−ＲＳ用リソースが、インデックス番号＃０に応じたＣＳＩ−ＲＳ用リソースである場合を想定する。この場合、上位装置は、図６の上部に示すように、インデックス番号＃０のビットに「１」がセットされ且つ他のインデックス番号のビットに「０」がセットされたビット列をＺｅｒｏ  Ｐｏｗｅｒ  ＣＳＩ−ＲＳ情報としてフェムト基地局２へ通知する。そして、Ｚｅｒｏ  Ｐｏｗｅｒ  ＣＳＩ−ＲＳ情報を受信したフェムト基地局２は、インデックス番号＃０に応じたＣＳＩ−ＲＳ用リソースにおけるＰＤＳＣＨの送信を停止する。これにより、マクロセルのＣＳＩ−ＲＳとフェムトセルのＰＤＳＣＨとの衝突が回避される。
【００２５】
図５の説明に戻る。フェムト基地局２は、リソース指定情報（つまり、Ｚｅｒｏ  Ｐｏｗｅｒ  ＣＳＩ−ＲＳ情報）で指定されるＣＳＩ−ＲＳ用リソースの時間方向の位置に基づいて、マクロセルのＰＤＳＣＨの先頭の送信タイミングを推定する（Ｓ１２，Ｓ１３）。具体的には、フェムト基地局２は、指定されるＣＳＩ−ＲＳ用リソースの時間方向の位置から所定数の時間単位だけ前の位置に応じたタイミングをマクロセルのＰＤＳＣＨの先頭の送信タイミングとして推定する。
【００２６】
図５の例では、Ｚｅｒｏ  Ｐｏｗｅｒ  ＣＳＩ−ＲＳ情報で指定されるＣＳＩ−ＲＳ用リソースがインデックス番号＃０に応じたＣＳＩ−ＲＳ用リソースである。この場合、フェムト基地局２は、マクロセルのＣＳＩ−ＲＳの送信タイミング（ＣＳＩ−ＲＳ用リソースの時間方向の位置）としてシンボルＳ＃９，Ｓ＃１０の組に応じた位置を特定する（Ｓ１２）。そして、フェムト基地局２は、シンボルＳ＃９，Ｓ＃１０の組に応じた位置から６つのＯＦＤＭシンボルだけ前のシンボルＳ＃３の位置に応じたタイミングをマクロセルのＰＤＳＣＨの先頭の送信タイミングとして推定する（Ｓ１３）。
【００２７】
続いて、フェムト基地局２は、推定された送信タイミングに基づいて、マクロセルのＰＤＳＣＨにフェムトセルのＰＤＣＣＨが時間的に重ならないように、フェムトセルのＰＤＳＣＨの先頭の送信タイミングを調整する（Ｓ１４）。すなわち、フェムト基地局２は、マクロセルのＰＤＳＣＨの先頭の送信タイミングとフェムトセルのＰＤＳＣＨの先頭の送信タイミングとの差を算出し、算出した差をフェムトセルにおける時間シフト量としてフェムト基地局２の送信信号の送信タイミングをシフトさせる。このような動作を行うことにより、マクロセルのＰＤＳＣＨの先頭の送信タイミングとフェムトセルのＰＤＳＣＨの送信タイミングとの間の同期が確立され、マクロセルのＰＤＳＣＨとフェムトセルのＰＤＣＣＨとが時間的に重ならないようになる。結果として、「通信経路」で接続されていないマクロセル及びフェムトセルの間での同期を確立して、マクロセルのＰＤＳＣＨからフェムトセルのＰＤＣＣＨへの干渉を低減させることができる。
【００２８】
次に、本実施例に係る送信タイミング調整方法（セル間同期方法）を実現可能なフェムト基地局２を、図面に従って詳細に説明する。図７は、本実施例に係るフェムト基地局２の構成例を示す図である。
【００２９】
図７において、フェムト基地局２は、スケジューラ部２１、データ信号生成部２２、制御信号生成部２３、チャネル多重部２４、ＩＦＦＴ（Inversed  Fast  Fourier  Transform）部２５、送信タイミング調整部２６及び無線送受信部２７を有する。また、フェムト基地局２は、ネットワークインタフェース部２８、リソース指定情報取得部２９、セル間干渉検出部３０及び他セル送信タイミング推定部３１を有する。
【００３０】
スケジューラ部２１は、移動局３宛てのデータ信号にリソースを割り当てるスケジューリング処理を行い、スケジューリング処理の結果をリソース割当情報として出力する。データ信号生成部２２は、上記リソース割当情報に基づいてデータ信号を生成する。制御信号生成部２３は、上記リソース割当情報に基づいて制御信号を生成する。チャネル多重部２４は、各物理チャネル（制御チャネル（ＰＤＣＣＨ）、データチャネル（ＰＤＳＣＨ））の信号を周波数多重して下りリンクの送信信号を生成する。ＩＦＦＴ部２５は、下りリンクの送信信号に対し、逆フーリエ変換（ＩＦＦＴ）を行い、ＣＰ（Cyclic  Prefix）を付加する。
【００３１】
送信タイミング調整部２６は、マクロセルのＰＤＳＣＨの先頭の送信タイミングに基づいて、マクロセルのＰＤＳＣＨにフェムトセルのＰＤＣＣＨが時間的に重ならないように、フェムトセルのＰＤＳＣＨの先頭の送信タイミングを調整する。すなわち、送信タイミング調整部２６は、マクロセルのＰＤＳＣＨの先頭の送信タイミングとフェムトセルのＰＤＳＣＨの先頭の送信タイミングとの差を算出する。そして、送信タイミング調整部２６は、算出した差をフェムトセルにおける時間シフト量として下りリンクの送信信号の送信タイミングをシフトさせる。
【００３２】
無線送受信部２７は、下りリンクの送信信号に対し、Ｄ／Ａ（Digital/Analog）変換、直交変調、アップコンバート及び電力増幅などの所定の無線送信処理を施し、アンテナを介して下りリンクの送信信号を送信する。また、無線送受信部２７は、上りリンクの受信信号に対し、ダウンコンバート、直交復調及びＡ／Ｄ（Analog/Digital）変換などの所定の無線受信処理を行う。
【００３３】
ネットワークインタフェース部２８は、マクロ基地局１及びフェムト基地局２の上位装置に接続され、この上位装置から通知されるＺｅｒｏ  Ｐｏｗｅｒ  ＣＳＩ−ＲＳ情報を受信する。Ｚｅｒｏ  Ｐｏｗｅｒ  ＣＳＩ−ＲＳ情報で指定されるＣＳＩ−ＲＳ用リソースにおけるＰＤＳＣＨの送信が、フェムト基地局２によって停止される。
【００３４】
リソース指定情報取得部２９は、ネットワークインタフェース部２８が受信したＺｅｒｏ  Ｐｏｗｅｒ  ＣＳＩ−ＲＳ情報を取得する。リソース指定情報取得部２９は、取得したＺｅｒｏ  Ｐｏｗｅｒ  ＣＳＩ−ＲＳ情報を他セル送信タイミング推定部３１へ出力する。
【００３５】
セル間干渉検出部３０は、マクロセルのＰＤＳＣＨからフェムトセルのＰＤＣＣＨへの干渉が発生したか否かを検出する。具体的には、セル間干渉検出部３０は、無線送受信部２７から出力される受信信号に含まれる上り制御信号の復調を行い、各移動局から通知された各セルの受信電力（ＲＳＲＰ（Reference  Signal  Received  Power））を抽出する。続いて、セル間干渉検出部３０は、各移動局から通知された各セルのＲＳＲＰの情報に基づいて、各移動局におけるセル間干渉の状態を推定し、その推定結果に基づいて、マクロセルのＰＤＳＣＨからフェムトセルのＰＤＣＣＨへの干渉が発生したか否かを検出する。例えば、フェムトセルのＲＳＲＰを“ＲＳＲＰ＿Ｓ”とし、隣接するマクロセルのＲＳＲＰを“ＲＳＲＰ＿Ｉ”とすると、パラメータα＝ＲＳＲＰ＿Ｓ／ＲＳＲＰ＿Ｉは、被干渉移動局におけるセル間干渉の状態を表す。そこで、αが所定の閾値を下回った場合に、マクロセルのＰＤＳＣＨからフェムトセルのＰＤＣＣＨへの干渉が発生したことが検出される。
【００３６】
他セル送信タイミング推定部３１は、Ｚｅｒｏ  Ｐｏｗｅｒ  ＣＳＩ−ＲＳ情報で指定されるＣＳＩ−ＲＳ用リソースの時間方向の位置に基づいて、マクロセルのＰＤＳＣＨの先頭の送信タイミングを推定する。具体的には、他セル送信タイミング推定部３１は、指定されるＣＳＩ−ＲＳ用リソースの時間方向の位置から所定数の時間単位だけ前の位置に応じたタイミングをマクロセルのＰＤＳＣＨの先頭の送信タイミングとして推定する。時間単位の数は、指定されるＣＳＩ−ＲＳ用リソースの時間方向の位置に応じて異なる。
【００３７】
ここで、マクロセルのＰＤＳＣＨの先頭の送信タイミングの推定処理の具体例を説明する。一例として、Ｚｅｒｏ  Ｐｏｗｅｒ  ＣＳＩ−ＲＳ情報で指定されるＣＳＩ−ＲＳ用リソースが、図６で示したインデックス番号＃０に応じたＣＳＩ−ＲＳ用リソースである場合を想定する。この場合、他セル送信タイミング推定部３１は、マクロセルのＣＳＩの送信タイミング（ＣＳＩ−ＲＳ用リソースの時間方向の位置）としてシンボルＳ＃９，Ｓ＃１０の組に応じた位置を特定する。そして、他セル送信タイミング推定部３１は、シンボルＳ＃９，Ｓ＃１０の組に応じた位置から６つのＯＦＤＭシンボルだけ前のシンボルＳ＃３の位置に応じたタイミングをマクロセルのＰＤＳＣＨの先頭の送信タイミングとして推定する。
【００３８】
他の一例として、Ｚｅｒｏ  Ｐｏｗｅｒ  ＣＳＩ−ＲＳ情報で指定されるＣＳＩ−ＲＳ用リソースが、図６で示したインデックス番号＃６に応じたＣＳＩ−ＲＳ用リソースである場合を想定する。この場合、他セル送信タイミング推定部３１は、マクロセルのＣＳＩの送信タイミング（ＣＳＩ−ＲＳ用リソースの時間方向の位置）としてシンボルＳ＃５，Ｓ＃６の組に応じた位置を特定する。そして、他セル送信タイミング推定部３１は、シンボルＳ＃５，Ｓ＃６の組に応じた位置から２つのＯＦＤＭシンボルだけ前のシンボルＳ＃３の位置に応じたタイミングをマクロセルのＰＤＳＣＨの先頭の送信タイミングとして推定する。
【００３９】
また、他セル送信タイミング推定部３１は、マクロセルのＰＤＳＣＨからフェムトセルのＰＤＣＣＨへの干渉が発生した旨がセル間干渉検出部３０によって検出された場合に、マクロセルのＰＤＳＣＨの先頭の送信タイミングを推定する。
【００４０】
次に、本実施例に係るフェムト基地局２の動作を説明する。図８は、本実施例に係るフェムト基地局２の動作の一例を示すフローチャートである。図８に示す動作は、例えば、所定の周期に従って繰り返し実行される。
【００４１】
図８に示すように、リソース指定情報取得部２９は、フェムト基地局２の上位装置から通知されるＺｅｒｏ  Ｐｏｗｅｒ  ＣＳＩ−ＲＳ情報を取得する（Ｓ１０１）。
【００４２】
他セル送信タイミング推定部３１は、Ｚｅｒｏ  Ｐｏｗｅｒ  ＣＳＩ−ＲＳ情報で指定されるＣＳＩ−ＲＳ用リソースの時間方向の位置を特定する（Ｓ１０２）。
【００４３】
他セル送信タイミング推定部３１は、マクロセルのＰＤＳＣＨからフェムトセルのＰＤＣＣＨへの干渉が発生した旨がセル間干渉検出部３０によって検出されていない場合（Ｓ１０３Ｎｏ）、処理をステップＳ１０１に戻す。
【００４４】
一方、他セル送信タイミング推定部３１は、マクロセルのＰＤＳＣＨからフェムトセルのＰＤＣＣＨへの干渉が発生した旨がセル間干渉検出部３０によって検出された場合（Ｓ１０３Ｙｅｓ）、以下の処理を行う。すなわち、他セル送信タイミング推定部３１は、ＣＳＩ−ＲＳ用リソースの時間方向の位置に基づいて、マクロセルのＰＤＳＣＨの先頭の送信タイミングを推定する（Ｓ１０４）。
【００４５】
送信タイミング調整部２６は、推定されたマクロセルのＰＤＳＣＨの先頭の送信タイミングに基づいて、マクロセルのＰＤＳＣＨにフェムトセルのＰＤＣＣＨが時間的に重ならないように、フェムトセルのＰＤＳＣＨの先頭の送信タイミングを調整する（Ｓ１０５）。
【００４６】
以上のように、本実施例では、フェムト基地局２が、Ｚｅｒｏ  Ｐｏｗｅｒ  ＣＳＩ−ＲＳ情報で指定される、マクロセルのＣＳＩ−ＲＳの送信に使用されるリソースの時間方向の位置を基にマクロセルのＰＤＳＣＨの先頭の送信タイミングを推定する。そして、フェムト基地局２が、推定された送信タイミングに基づいて、マクロセルのＰＤＳＣＨにフェムトセルのＰＤＣＣＨが時間的に重ならないように、フェムトセルのＰＤＳＣＨの先頭の送信タイミングを調整する。これにより、「通信経路」で接続されていないマクロセル及びフェムトセルの間での同期を確立してフェムトセルのＰＤＣＣＨへのセル間干渉を低減することができる。
【００４７】
なお、上記実施例では、本願の開示する送信タイミング調整方法（セル間同期方法）は、マクロセルからフェムトセルへの干渉を低減するものとした。しかしながら、本願の開示する送信タイミング調整方法（セル間同期方法）は、フェムトセルからマクロセルへの干渉を低減する技術として適用することもできる。この場合、マクロ基地局１が、Ｚｅｒｏ  Ｐｏｗｅｒ  ＣＳＩ−ＲＳ情報で指定される、フェムトセルのＣＳＩ−ＲＳの送信に使用されるリソースの時間方向の位置を基にフェムトセルのＰＤＳＣＨの先頭の送信タイミングを推定する。そして、マクロ基地局１が、推定された送信タイミングに基づいて、フェムトセルのＰＤＳＣＨにマクロセルのＰＤＣＣＨが時間的に重ならないように、マクロセルのＰＤＳＣＨの先頭の送信タイミングを調整する。
【００４８】
［ハードウェア構成］
フェムト基地局２は、例えば、次のようなハードウェア構成により実現することができる。図９は、フェムト基地局２のハードウェア構成例を示す図である。図９に示すように、フェムト基地局２は、ハードウェアの構成要素として、プロセッサ２ａ、メモリ２ｂ、無線送受信モジュール２ｃ及びネットワークインタフェースモジュール２ｄを有する。プロセッサ２ａの一例として、ＣＰＵ（Central  Processing  Unit），ＤＳＰ（Digital  Signal  Processor），ＦＰＧＡ（Field  Programmable  Gate  Array）等が挙げられる。また、メモリ２ｂの一例として、ＳＤＲＡＭ（Synchronous  Dynamic  Random  Access  Memory）等のＲＡＭ（Random  Access  Memory），ＲＯＭ（Read  Only  Memory），フラッシュメモリ等が挙げられる。無線送受信部２７は、無線送受信モジュール２ｃにより実現される。ネットワークインタフェース部２８は、ネットワークインタフェースモジュール２ｄにより実現される。スケジューラ部２１、データ信号生成部２２、制御信号生成部２３、チャネル多重部２４、ＩＦＦＴ部２５、送信タイミング調整部２６、リソース指定情報取得部２９、セル間干渉検出部３０及び他セル送信タイミング推定部３１は、プロセッサ２ａにより実現される。
【符号の説明】
【００４９】
２  フェムト基地局
２１  スケジューラ部
２２  データ信号生成部
２３  制御信号生成部
２４  チャネル多重部
２５  ＩＦＦＴ部
２６  送信タイミング調整部
２７  無線送受信部
２８  ネットワークインタフェース部
２９  リソース指定情報取得部
３０  セル間干渉検出部
３１  他セル送信タイミング推定部
【図１】
2018207389.tif 000003
【図２】
2018207389.tif 000004
【図３】
2018207389.tif 000005
【図４】
2018207389.tif 000006
【図５】
2018207389.tif 000007
【図６】
2018207389.tif 000008
【図７】
2018207389.tif 000009
【図８】
2018207389.tif 000010
【図９】
2018207389.tif 000011